(57)【要約】【課題】本発明は、人体情報を反映させ、ミスト噴霧の制御を行うことができるミスト制御システム及びミスト制御方法を提供する。【解決手段】ミスト制御システムは、ミストを噴出させる噴霧部１と、人２を検知し、検知した人２の人体情報３を取得する人体検知センサ４と、人体検知センサ４が取得した人体情報３に応じて、人２の属性を判断する属性判断部５と、属性判断部５で判断された属性情報６に応じて、噴霧部１の制御を行う噴霧制御部７と、属性情報６毎に対応付けられた制御内容８を記憶する制御内容記憶部９と、を備え、噴霧制御部７は、制御内容記憶部９に記憶された制御内容８に従って噴霧部１の制御を行う。【選択図】図１
2018004132.tif 000002
【特許請求の範囲】
【請求項１】
ミストを噴出させる噴霧部と、
人を検知し、検知した前記人の人体情報を取得する人体検知センサと、
前記人体検知センサが取得した前記人体情報に応じて、前記人の属性を判断する属性判断部と、
前記属性判断部で判断された属性情報に応じて、前記噴霧部の制御を行う噴霧制御部と、
前記属性情報毎に対応付けられた制御内容を記憶する制御内容記憶部と、
を備え、
前記噴霧制御部は、前記制御内容記憶部に記憶された前記制御内容に従って前記噴霧部の制御を行う
ミスト制御システム。
【請求項２】
ミスト制御装置を備え、
前記噴霧部、前記人体検知センサ、前記属性判断部、前記噴霧制御部、前記制御内容記憶部は、前記ミスト制御装置に設けられている
請求項１に記載のミスト制御システム。
【請求項３】
ミスト制御装置と、外部ネットワークに接続されたサーバと、を備え、
前記噴霧部、前記人体検知センサ、前記属性判断部、前記噴霧制御部は、前記ミスト制御装置に設けられ、
前記制御内容記憶部は、前記サーバに設けられ、
前記ミスト制御装置は、
前記サーバへ前記属性情報を出力する属性情報出力部と、
前記サーバから前記属性情報に応じた前記制御内容を取得する制御内容取得部と、
を更に備え、
前記噴霧制御部は、前記サーバから取得された前記制御内容に従って前記噴霧部の制御を行う
請求項１に記載のミスト制御システム。
【請求項４】
前記ミスト制御装置は、
前記制御内容に対する評価情報を入力する評価情報入力部と、
前記評価情報入力部に入力された前記評価情報に応じて、前記制御内容記憶部における制御内容を変更する制御内容変更部と、
を更に備え、
前記噴霧制御部は、前記制御内容変更部で変更された前記制御内容に従って前記噴霧部の制御を行う
請求項２に記載のミスト制御システム。
【請求項５】
前記ミスト制御装置は、
前記制御内容に対する評価情報を取得する評価情報取得部と、
前記評価情報を前記サーバへ出力する評価情報出力部と、
を更に備え、
前記サーバは、
前記評価情報を入力する評価情報入力部と、
前記評価情報に応じて、前記制御内容記憶部における前記制御内容を変更する制御内容変更部と、
を更に備え、
前記噴霧制御部は、前記制御内容変更部で前記属性情報との対応関係が変更された前記
制御内容に従って前記噴霧部の制御を行う
請求項３に記載のミスト制御システム。
【請求項６】
人体検知センサを介して人の人体情報を取得するステップと、
取得された前記人体情報から前記人の属性情報を判断するステップと、
判断された前記属性情報に対応付けられた制御内容に従って、ミストを噴出する噴霧部を制御するステップと、
を有するミスト制御方法。
【請求項７】
前記制御内容に対する評価情報を取得するステップと、
取得された前記評価情報によって前記属性情報と前記制御内容との対応関係を変更するステップと、
を更に有する請求項６に記載のミスト制御方法。
【発明の詳細な説明】
【技術分野】
【０００１】
本発明は、ミストを噴出させるミスト制御システム及びミスト制御方法に関する。
【背景技術】
【０００２】
従来、防犯・監視システムとして、侵入者が接近・侵入した場合、気体状・液状の化学品を噴射する手段を備えたシステムが知られている（例えば、特許文献１）。
【０００３】
特許文献１には、侵入者の存在を感知し、侵入者を退散させる行為阻害手段として、気体状・液状の化学品を噴射する手段を備えるシステムが開示されている。
【先行技術文献】
【特許文献】
【０００４】
【特許文献１】特開２００１−３４４６７９号公報
【発明の概要】
【発明が解決しようとする課題】
【０００５】
しかしながら、特許文献１のシステムでは、動体物の検知が行われれば、どのような動体物であっても一義的に噴射行為が行われる恐れがある。
【０００６】
そこで、本発明は上記課題を解決するものであり、人が検知された場合、各々の人の人体情報を検知し、ミスト噴出の制御内容に反映させることで、人に合わせてミストの噴出形態を制御することができるミスト制御システム及びミスト制御方法を提供する。
【課題を解決するための手段】
【０００７】
本発明のミスト制御装置は、ミストを噴出させる噴霧部と、人を検知し、検知した人の人体情報を取得する人体検知センサと、人体検知センサが取得した人体情報に応じて、人の属性を判断する属性判断部と、属性判断部で判断された属性情報に応じて、噴霧部の制御を行う噴霧制御部と、属性情報毎に対応付けられた制御内容を記憶する制御内容記憶部と、を備え、噴霧制御部は、制御内容記憶部に記憶された制御内容に従って噴霧部の制御を行う。
【０００８】
また、本発明のミスト制御方法は、人体検知センサを介して人の人体情報を取得するステップと、取得された人体情報から人の属性情報を判断するステップと、判断された属性情報に対応付けられた制御内容に従って、ミストを噴出する噴霧部を制御するステップと、を有する。
【発明の効果】
【０００９】
以上により、人の属性を検知し、属性に合ったミストを発生させることで、人に合った快適かつ冷涼な空間を提供することができる。
【図面の簡単な説明】
【００１０】
【図１】図１は、実施の形態１に係るミスト制御システム２１１の構成を示すブロック図である。
【図２】図２は、実施の形態１に係る属性情報対応テーブル１７を示す図である。
【図３】図３は、実施の形態１に係る制御内容対応テーブル１８を示す図である。
【図４】図４は、実施の形態１に係るミスト制御システム２１１の噴霧制御に係る動作全体を示すフローチャートである。
【図５】図５は、実施の形態１に係るミスト制御システム２１１の噴霧制御に係る動作詳細を示すフローチャートである。
【図６】図６は、実施の形態２に係るミスト制御システム２１２の構成を示すブロック図である。
【図７】図７は、実施の形態３に係るミスト制御システム２２１の構成を示すブロック図である。
【図８】図８は、実施の形態３に係るミスト制御システム２２１の制御内容変更に係る動作全体を示すフローチャートである。
【図９】図９は、実施の形態３に係るミスト制御システム２２１の制御内容変更に係る動作詳細を示すフローチャートである。
【図１０】図１０は、実施の形態３に係るミスト制御システム２２１の評価項目テーブルを示す図である。
【図１１】図１１は、実施の形態４に係るミスト制御システム２２２の全体概念図である。
【図１２】図１２は、実施の形態４に係るミスト制御システム２２２の構成を示すブロック図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者（ら）は、当業者が本開示を十分に理解するために添付図面および以下の説明を提供するのであって、これらによって特許請求の範囲に記載の主題を限定することを意図するものではない。
【００１３】
（実施の形態１）
［１―１．ミスト制御システムの構成］
図を参照して、本実施の形態１におけるミスト制御システム２１１を説明する。ミスト制御システム２１１は、建物の壁や梁、屋根などの躯体に設置され、ミストを噴出する噴霧部１の動作制御を行うシステムである。図１は、本実施の形態１に係るミスト制御システム２１１の構成を示すブロック図である。図２は、本実施の形態１に係る属性情報対応テーブル１７である。図３は、本実施の形態１に係る制御内容対応テーブル１８である。
【００１４】
本実施の形態１におけるミスト制御システム２１１は、噴霧部１、人体検知センサ４、属性判断部５、噴霧制御部７、制御内容記憶部９を備える。また、本実施の形態１におけるミスト制御システム２１１は、図１に示されるように、ミスト制御装置１１１を備え、噴霧部１、人体検知センサ４、属性判断部５、噴霧制御部７、制御内容記憶部９はミスト制御装置１１１に設けられる。
【００１５】
ミスト制御装置１１１は、対象の範囲内において、人２を検知し、検知した人２の複数の身体的特徴を人体情報３として取得する。取得した複数の人体情報３からそれぞれの特徴を場合分けし、組み合わせたものを属性情報６として判断する。判断された属性情報６から、属性情報６毎に対応付けられた制御内容８を決定する。そして、決定された制御内容８に従って、噴霧の制御を行う。
【００１６】
ミスト制御システム２１１における構成を具体的に説明する。
【００１７】
噴霧部１は、ミストを噴出する手段である。ミストとは、液体（水分）を噴出するだけ
でなく、気体（例えば、香りなど）を噴出することも含まれる。噴霧部１は、噴霧制御部７から入力された制御信号に従ってミストの噴霧動作を行う。制御信号は、制御内容８を示す信号である。制御内容８は、ミストを噴出する位置、強さやリズム、香りである。本実施の形態において、ミストを噴出する位置とは、噴霧部１を駆動させ、対象の人２の身長のどの位置に噴出するか、噴霧部１から人２までの距離などを表す。強さとは、噴出するときのスピードを表す。リズムとは、噴出するミストの動きを表す。例えば、ミストの動きはパルス波で表され、周波数や振幅を変えることで制御することが可能である。
【００１８】
なお、噴霧部１は、駆動部（図示せず）を有することが好ましい。駆動部（図示せず）は、受信した制御内容８に従って噴霧部１の噴出向きや位置を自動的に調整する。
【００１９】
人体検知センサ４は、対象内の人２の人体情報３を判断する処理部であり、例えば、ＣＣＤやＣＭＯＳなどの画像センサが用いられる。人体検知センサ４は、撮影された映像の画像を分析し、分析した結果を人体情報３として判断する。人体情報３とは、体型や性別、年齢など外見から判断できる人２の身体的特徴である。判断された人体情報３は、属性判断部５へ出力される。人体検知センサ４は、さらに熱量計測センサを搭載し、移動体の熱量を人体情報３として判断してもよい。
【００２０】
属性判断部５は、入力された人体情報３に基づいて属性情報６を判断する処理を行う。属性判断部５は、図２に示されるような人体情報３と属性情報６とが対応付けられた属性情報対応テーブル１７を記憶している。属性判断部５は、人体検知センサ４によって判断された年齢層や性別、身長、体型などの人体情報３が入力された場合、記憶している属性情報対応テーブル１７を参照し、入力された人体情報３に対応付けられた属性情報６を属性情報対応テーブル１７より判断する。ここで、属性情報６は、図２において「＃１」乃至「＃７」として表されている。
【００２１】
制御内容記憶部９は、図３に示されるような属性情報６と制御内容８とが対応付けられた制御内容対応テーブル１８を記憶し、入力された属性情報６に基づいて制御内容８の判断を行う。制御内容記憶部９は、例えば、噴霧制御部７のワーキングメモリとなるＲＡＭ等の揮発性の記憶素子及びＲＯＭや書換可能なＥＥＰＲＯＭ等の不揮発性の記憶素子を備えて構成される。制御内容記憶部９は、属性判断部５から入力された属性情報６及び記憶されている制御内容対応テーブル１８に基づいて、制御内容８を決定する。決定された制御内容８は、噴霧制御部７に出力される。
【００２２】
噴霧制御部７は、制御内容記憶部９から入力された制御内容８に従って噴霧部１の制御を指示するための制御信号を出力する処理部である。噴霧制御部７は、マイクロプロセッサ及びその周辺回路等を備えて構成され、制御内容８を噴霧部１の動作を可能とする制御信号に変換し、噴霧部１に出力する。例えば、プログラム（アプリケーションプログラム等）を格納しているＲＯＭ等の不揮発性メモリ、そのプログラムを実行するＣＰＵ、及びＣＰＵによる実行時の一時的な作業領域としてのＲＡＭ等の不揮発性メモリ等から構成され、プログラムに従って動作することによって、それぞれの制御内容８を実行する。
【００２３】
上記構成により、本実施の形態１におけるミスト制御システム２１１は、まず、人体検知センサ４が取得した人体情報３に基づいて属性情報６を判断する。そして、判断した属性情報６毎に応じた制御内容８に従って噴霧部１の制御を行う。
【００２４】
［１−２．動作］
以上のように構成されたミスト制御システム２１１の動作について、図を参照して説明する。図４は、本実施の形態１に係るミスト制御システム２１１の噴霧制御に係る動作全体を示すフローチャートである。図５は、本実施の形態１に係るミスト制御システム２１
１の噴霧制御に係る動作詳細を示すフローチャートである。
【００２５】
ミスト制御システム２１１の動作全体について、図４を参照して説明する。まず、人体検知センサ４から人体情報３を取得する（ステップＳ１）。取得した人体情報３を、属性判断部５へ出力し、人の属性情報６を判断する（ステップＳ２）。判断された属性情報６は、その後、制御内容記憶部９へ出力され、属性情報６毎に制御内容８が決定される（ステップＳ３）。決定された制御内容８は噴霧制御部７へ出力され、噴霧制御部７は入力された制御内容８に従って噴霧部１の制御を行うことにより、ミストを噴出させる（ステップＳ４）。
【００２６】
本実施の形態１における制御動作の詳細な手順について図５を参照して説明する。ここで、ステップＳ１１乃至ステップＳ１３の処理は、図４におけるステップＳ１の人体情報３を取得する処理の詳細手順である。また、ステップＳ１４の処理は、図４におけるステップＳ２の属性情報６を判断する処理の詳細手順である。また、ステップＳ１５及びステップＳ１６の処理は、図４におけるステップＳ３及びステップＳ４の制御内容８を決定し噴霧制御を行う処理の詳細手順である。
【００２７】
まず人体検知センサ４を用いて、人体情報３を取得するステップを行う。人体検知センサ４は画像データを取得する（ステップＳ１１）。取得した画像データから所定の時間における変化を用いて、背景か移動体かを認識する。認識された移動体の画素の縦横比や大きさから、人２であるかどうかを判断する（ステップＳ１２）。人２であると判断された場合（ステップＳ１２「Ｙｅｓ」）、取得した画像データの画素の縦横比や大きさ、外見の特徴から、人２の年齢層や性別、身長、体型を特定し、それぞれの上方を人体情報３として属性判断部５へ出力する。例えば、画像データに基づいて、年齢層：「中年」、性別：「女性」、体型：「標準」という人体情報３を生成して属性判断部５に出力する（ステップＳ１３）。
【００２８】
なお、人２の多い空間であっても、各々の人２の人体情報３が取得できるように、映像領域を区分し、各区分における人体情報３を統計し、一つの人体情報３としてステップＳ１２の処理を行ってもよい。また、人体検知センサ４は、移動体の熱量を人体情報３として判断してもよい。
【００２９】
次に、属性情報６を判断するステップが行われる。属性判断部５は、人体検知センサ４から入力された人体情報３及び記憶されている属性情報対応テーブル１７を参照して、属性情報６を判断する。ステップＳ１３の人体情報３（年齢層：「中年」、性別：「女性」、体型：「標準」）においては、図２の属性情報対応テーブル１７より、属性情報６は「＃５」と判断される（ステップＳ１４）。属性判断部５は、判断された属性情報６（「＃５」）を制御内容記憶部９に出力し、処理は制御判断処理へと移行する。
【００３０】
続いて、判断された属性情報６に対応付けられた制御内容８に従って、噴霧部１の制御を行うステップが行われる。制御内容記憶部９は、属性判断部５から入力された属性情報６及び記憶されている制御内容対応テーブル１８に基づいて、属性情報６毎に対応付けられた制御内容８を決定する。ステップＳ１４の属性情報６（「＃５」）においては、図４の制御内容対応テーブル１８より、制御内容８は『位置：「遠めから胸以下へ」、強さ＆リズム：「２０〜４０波長」、香り：「無臭」』と判断される（ステップＳ１５）。ステップＳ１５で決定された制御内容８は、噴霧制御部７へ出力される。噴霧制御部７は、入力された制御内容８に従って噴霧部１を動作させる（ステップＳ１６）。
【００３１】
［１−３．効果］
以上のように、本実施の形態１におけるミスト制御システム２１１は、ミストを噴出さ
せる噴霧部１と、人２を検知し、検知した人２の人体情報３を取得する人体検知センサ４と、人体検知センサ４が取得した人体情報３に応じて、人２の属性を判断する属性判断部５と、属性判断部５で判断された属性情報６に応じて、噴霧部１の制御を行う噴霧制御部７と、属性情報６毎に対応付けられた制御内容８を記憶する制御内容記憶部９と、を備え、噴霧制御部７は、制御内容記憶部９に記憶された制御内容８に従って噴霧部１の制御を行う。
【００３２】
また、本実施の形態１におけるミスト制御システム２１１は、ミスト制御装置１１１を備え、噴霧部１、人体検知センサ４、属性判断部５、噴霧制御部７、制御内容記憶部９は、ミスト制御装置１１１に設けられる。
【００３３】
また、本実施の形態１におけるミスト制御方法は、人体検知センサ４を介して人２の人体情報３を取得するステップと、取得された人体情報３から人２の属性情報６を判断するステップと、判断された属性情報６に対応付けられた制御内容８に従って、ミストを噴出する噴霧部１を制御するステップと、を有する。
【００３４】
これにより、対象となる人２に合わせてミストの噴霧形態を変えることができ、年齢や体型の異なる人２に対しても快適かつ冷涼な空間を演出することができる。
【００３５】
（実施の形態２）
［２−１．ミスト制御システムの構成］
本実施の形態２について、図を参照して説明する。図６は、本実施の形態２に係るミスト制御システム２１２の構成を示すブロック図である。なお、ここでは、上記実施の形態１と相違する事項についてのみ説明し、その他の事項（構成、作用効果等）については、上記実施の形態１と同様であるので、図面において同じ符号を付してその説明を省略する。本実施の形態２に係るミスト制御システム２１２は、制御内容記憶部９はミスト制御装置１１２と外部ネットワークで接続されたサーバ３０１に設けられ、サーバ３０１からミスト制御装置１１２の制御を行う点で実施の形態１と相違する。
【００３６】
本実施の形態２におけるミスト制御システム２１２は、図６に示されるように、ミスト制御装置１１２と、外部ネットワークに接続されたサーバ３０１と、を備え、噴霧部１、人体検知センサ４、属性判断部５、噴霧制御部７は、ミスト制御装置１１２に設けられ、制御内容記憶部９は、サーバ３０１に設けられ、ミスト制御装置１１２は、サーバ３０１へ属性情報６を送信する属性情報出力部１３と、サーバ３０１から属性情報６に応じた制御内容８を受信する制御内容取得部１４と、を更に備え、噴霧制御部７は、サーバ３０１から受信された制御内容８に従って噴霧部１の制御を行う。
【００３７】
ネットワークは、例えば、通信プロトコルにＨＴＴＰ、ＦＴＰ及びＴＣＰ／ＩＰ等の所謂インターネットプロトコル群が用いられてインターネットを構成する。ネットワークは、イントラネットでもよい。ミスト制御装置１１２は、例えばＵＰｎＰ等、公共の手段を用いて他のミスト制御装置１１２やサーバ３０１のアドレス情報を取得し、ミスト制御装置１１２とサーバ３０１とはネットワークを介して相互に通信可能に構成されている。
【００３８】
属性情報出力部１３は、属性判断部５で判断された属性情報６を取得し、ネットワークを介してサーバ３０１へ送信する。
【００３９】
制御内容取得部１４は、制御内容記憶部９で判断された制御内容８を、ネットワークを介してサーバ３０１から受信し、受信した制御内容８を噴霧制御部７へ出力する。
【００４０】
上記構成により、本実施の形態２におけるミスト制御システム２１２は、属性情報６毎
に応じた制御内容８は、サーバ３０１上で判断され、サーバ３０１上で判断された制御内容８に従って噴霧部１の制御が行われる。
【００４１】
［２−２．動作］
本実施の形態２は、図４において、制御内容８を決定するステップ（ステップＳ３）が、外部ネットワークに接続されたサーバ３０１で行われる点で実施の形態１と相違する。
【００４２】
属性判断部５において判断された属性情報６は、属性情報出力部１３から外部ネットワークを介して、サーバ３０１へ送信される。サーバ３０１に設けられた制御内容記憶部９は、属性情報６に基づいて制御内容８を決定する。
【００４３】
決定された制御内容８は、サーバ３０１からミスト制御装置１１２に設けられた制御内容取得部１４へ送信される。制御内容取得部１４は、受信した制御内容８を噴霧制御部７へ送信することで、噴霧部１の制御が行われる。
【００４４】
［２−３．効果］
以上のように、本実施の形態２におけるミスト制御システム２１２は、ミスト制御装置１１２と、外部ネットワークに接続されたサーバ３０１と、を備え、噴霧部１、人体検知センサ４、属性判断部５、噴霧制御部７は、ミスト制御装置１１２に設けられ、制御内容記憶部９は、サーバ３０１に設けられ、ミスト制御装置１１２は、サーバ３０１へ属性情報６を出力する属性情報出力部１３と、サーバ３０１から属性情報６に応じた制御内容８を取得する制御内容取得部１４と、を更に備え、噴霧制御部７は、サーバ３０１から取得された制御内容８に従って噴霧部１の制御を行う。
【００４５】
このように、制御内容記憶部９と噴霧部１とを別体に設けることにより、汎用のミスト制御装置を用いることができるので、システムの初期費用を抑えることができる。更に、制御内容記憶部９の制御内容８の変更処理を容易に実施することが可能となる。
【００４６】
（実施の形態３）
［３−１．ミスト制御システムの構成］
本実施の形態３におけるミスト制御システム２２１について、図を参照して説明する。図７は、本実施の形態３に係るミスト制御システム２２１の構成を示すブロック図である。なお、ここでは、上記実施の形態１と相違する事項についてのみ説明し、その他の事項（構成、作用効果等）については、上記実施の形態１と同様であるので、図面において同じ符号を付してその説明を省略する。
【００４７】
本実施の形態３におけるミスト制御システム２２１は、噴霧部１、人体検知センサ４、属性判断部５、噴霧制御部７、制御内容記憶部９がミスト制御装置１２１に設けられたミスト制御システム２２１である。ミスト制御装置１２１とは別体に評価装置４００が設けられ、評価装置４００を用いて噴霧形態に対するアンケートを行い、アンケート結果を示す評価情報１０に基づいて、噴霧部１のフィードバック制御を行うことが上記実施の形態１と相違する。
【００４８】
評価情報入力部１１は、制御内容８に対する人２の評価を取得する。評価情報入力部１１は、例えば、サイネージ等の評価装置４００と接続されている。評価装置４００を用いて、噴出されたミストに対する評価のアンケートを行った場合、評価情報入力部１１は、評価装置４００からネットワークを通じて、アンケート結果を評価情報１０として受信する。受信された評価情報１０は、制御内容変更部１２へ出力される。
【００４９】
制御内容変更部１２は、より快適かつ冷涼な空間を演出できるように、評価情報１０に
基づいて、制御内容記憶部９に記憶された制御内容対応テーブル１８の制御内容８を変更する。
【００５０】
［３−２．動作］
図を参照して、本実施の形態３におけるミスト制御システム２２１の制御内容変更の動作について説明する。図８は、本実施の形態３に係るミスト制御システム２２１の制御内容変更に係る動作全体を示すフローチャートである。図９は、本実施の形態３に係るミスト制御システム２２１の制御内容変更に係る動作詳細を示すフローチャートである。図１０は、本実施の形態３に係るミスト制御システム２２１の評価項目テーブルである。
【００５１】
本実施の形態３では、噴霧部１の噴霧制御が行われた後（ステップＳ４の後）、さらに、ミスト制御装置１２１とは別体に設けられた評価装置４００を用いて、評価情報１０を取得するステップ（ステップＳ５）と、評価情報１０によって制御内容対応テーブル１８の属性情報６と制御内容８との対応関係を変更するステップ（ステップＳ６）とが行われる。
【００５２】
図９を参照して、本実施の形態３における制御動作変更の制御動作の詳細について説明する。
【００５３】
噴霧部１、人体検知センサ４、属性判断部５、噴霧制御部７、制御内容記憶部９が、ミスト制御装置１２１に設けられたミスト制御システム２２１において、外部に設けられたサイレージ等の評価装置４００とネットワークを介して接続することにより、噴霧形態に関して「快適であるかどうか」のアンケートを行う（ステップＳ２１）。「快適でない」（ステップＳ２１「Ｎｏ」）と入力された場合、アンケートを行い、アンケートの結果を評価情報１０として、評価情報入力部１１へ入力する。アンケートの内容には、年齢、性別、各噴霧形態項目に関する、アンケート項目を設けられることが好ましい。また、気温や湿度、体型は人体検知センサ４で自動入力されてもよい。
【００５４】
アンケートの例として、図１０に示されるように、「強さ」であれば、「弱すぎ」から「強すぎ」まで段階分けした評価項目や、「位置」であれば、人体表示の希望位置を指定するなどの評価項目テーブルが設けられる。評価装置４００は、入力されたアンケート結果を評価情報１０として評価情報入力部１１へ送信する。
【００５５】
評価情報入力部１１は、受信した評価情報１０を制御内容変更部１２へ出力する。制御内容変更部１２は、入力された評価情報１０を、制御内容記憶部９に記憶されている制御内容対応テーブル１８に照合し、評価情報１０に基づいて制御内容８を変更する。例えば、人体検知センサ４において、「中年」、「女性」、「標準」（属性情報「＃５」）と判断された人２もしくはアンケートに記入した人２が、「快適でない」と評価し、噴霧の位置：「全身」、強さ＆リズム：「ちょうど良い」、香り：「嫌い」、「違う匂いがいい」と評価装置４００に入力した場合、評価装置４００は、上記アンケート結果を評価情報入力部１１へ送信する。
【００５６】
制御内容変更部１２には、評価情報入力部１１から属性情報「＃５」における評価情報１０『噴霧の位置：「全身」、強さ＆リズム：「ちょうど良い」、香り：「嫌い」、「違う匂いがいい」』が入力される（ステップ２３）。制御内容変更部１２は、評価情報１０に基づいて、制御内容記憶部９に記憶されている制御内容対応テーブル１８における「＃５」属性の噴霧形態を、噴霧の位置：「遠めから全身へ」、強さ＆リズム：「ちょうど良い」、香り：「ミント」に変更する（ステップＳ２４）。
【００５７】
一方、「快適である」（ステップＳ２１「Ｙｅｓ」）と評価された場合、制御内容変更
部１２は、制御情報対応テーブル１８の制御内容８の変更は行わない（ステップＳ２２）。
【００５８】
なお、評価装置４００は、サイネージには限らず、リモコン等によって評価情報１０が入力されてもよい。また、評価装置４００は、外部に備えられるものではなく、ミスト制御装置１２１に設けられるパネルやボタンであってもよい。このように、評価装置４００がミスト制御装置１２１に直接設けられ、ネットワークを通じてアンケート結果を受信するものでなくてもよい。
【００５９】
なお、評価装置４００に入力された各属性における評価情報１０は統計が多いものに準じて変更されることが好ましい。また、変更のタイミングは所定時間ごとに更新されたり、所定量の評価情報１０が入力されて更新されるものでもよい。
【００６０】
また、評価装置４００は、気温や湿度等が自動検知され、自動検知した情報と評価情報１０とを照らし合わせて、制御内容変更を行うことで季節や天候ごとに噴霧形態が変更される構成であってもよい。
【００６１】
［３−３．効果］
以上のように、噴霧部１、人体検知センサ４、属性判断部５、噴霧制御部７、制御内容記憶部９がミスト制御装置１２１に設けられているミスト制御システム２２１において、ミスト制御装置１２１は、制御内容８に対する評価情報１０を入力する評価情報入力部１１と、評価情報入力部１１に入力された評価情報１０に応じて、制御内容記憶部９における制御内容８を変更する制御内容変更部１２と、を更に備え、噴霧制御部７は、制御内容変更部１２で変更された制御内容８に従って噴霧部１の制御を行う。
【００６２】
また、ミスト制御方法として、制御内容８に対する評価情報１０を取得するステップと、取得された評価情報１０によって属性情報６と制御内容８との対応関係を変更するステップと、を更に有する。
【００６３】
これにより、ミストの噴霧形態を評価情報に応じて変更することで、属性による好みの違いを学習し、より対象の人２の好みに合ったミストを噴出することができ、快適かつ冷涼な空間を演出することができる。
【００６４】
（実施の形態４）
［４−１．ミスト制御システムの構成］
本実施の形態４におけるミスト制御システム２２２について、図を参照して説明する。図１１は、本実施の形態４に係るミスト制御システム２２２の全体概念図である。図１２は、本実施の形態４に係るミスト制御システム２２２の構成を示すブロック図である。なお、ここでは、上記実施の形態３と相違する事項についてのみ説明し、その他の事項（構成、作用効果等）については、上記実施の形態３と同様であるので、図面において同じ符号を付してその説明を省略する。
【００６５】
本実施の形態４は、制御内容８の変更がサーバ３０２上で行われる点で実施形態３と相違する。本実施の形態４は、図１１に示されるように、人２が評価した制御情報をミスト制御装置１２２が受信し、サーバ３０２に送信することで、評価情報１０を反映する。
【００６６】
具体的には、制御内容記憶部９がサーバ３０２に設けられたミスト制御システム２２２であって、図１２に示されるように、ミスト制御装置１２２は、制御内容８に対する評価情報１０を入力する評価情報入力部１１と、評価情報１０をサーバ３０２へ出力する評価情報出力部１５と、を更に備え、サーバ３０２は、評価情報１０を取得する評価情報取得
部１６と、評価情報１０に応じて、制御内容記憶部９における制御内容８を変更する制御内容変更部１２と、を更に備え、噴霧制御部７は、制御内容記憶部９が記憶した制御内容８に従って噴霧部１の制御を行う。
【００６７】
評価情報入力部１１及び制御内容変更部１２は、実施の形態３と同様の構成であるので説明は省略する。
【００６８】
評価情報出力部１５は、評価情報入力部１１から入力された評価情報１０を、ネットワークを介してサーバ３０２に設けられた評価情報取得部１６へ送信する。
【００６９】
評価情報取得部１６は、ネットワークを介して評価情報出力部１５から評価情報１０を受信する。受信した評価情報１０は、制御内容変更部１２へ出力する。
【００７０】
［４−２．動作］
続いて、実施の形態４の動作手順について説明する。実施の形態４は、図８において、評価情報１０による制御内容８を変更するステップ（ステップＳ６）がサーバ３０２上で行われる点で、実施の形態３と相違する。具体的には、評価情報１０は、評価情報入力部１１から評価情報出力部１５へ出力され、評価情報出力部１５によって、サーバ３０２に設けられた評価情報取得部１６へ送信される。
【００７１】
評価情報取得部１６は、受信した評価情報１０を制御内容変更部１２へ出力する。制御内容変更部１２は、実施形態３同様に、入力された評価情報１０に基づいて、制御内容記憶部９に記憶されている制御内容対応テーブル１８における噴霧形態を変更する。変更された制御内容８は、外部ネットワークを介して、サーバ３０２に設けられた制御内容記憶部９からミスト制御装置１２２に設けられた制御内容取得部１４へ送信される。制御内容取得部１４は、受信した制御内容８を噴霧制御部７へ送信することで、噴霧制御部７は噴霧部１の制御を行う。
【００７２】
上述のように、制御内容８の変更は、サーバ３０２に設けられた制御内容変更部１２によって、サーバ３０２上にて行われる。
【００７３】
［４−３．効果］
制御内容記憶部９が外部ネットワークに接続されたサーバ３０２に設けられているミスト制御システム２２２において、ミスト制御装置１２２は、制御内容８に対する評価情報１０を入力する評価情報入力部１１と、評価情報１０をサーバ３０２へ出力する評価情報出力部１５と、を更に備え、サーバ３０１は、評価情報１０を取得する評価情報取得部１６と、評価情報１０に応じて、制御内容記憶部９における制御内容８を変更する制御内容変更部１２と、を更に備え、噴霧制御部７は、制御内容変更部１２で属性情報６との対応関係が変更された制御内容８に従って噴霧部１の制御を行う。
【００７４】
このように、制御内容記憶部９と噴霧部１とを別体に設けることにより、汎用のミスト制相装置を用いることができるので、システムの初期費用を抑えて、人の好みに合わせて学習・分析するミスト制御システム２２２を提供することができ、快適かつ冷涼な空間を演出することができる。
【００７５】
なお、本実施の形態１乃至４に示される噴霧形態の制御内容やアンケートの評価項目は一例であり、その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【００７６】
以上のように、本開示における技術の例示として、実施の形態を説明した。そのために、添付図面および詳細な説明を提供した。
【００７７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７８】
また、上述の実施の形態は、本開示における技術を例示するためのものであるから、特許請求の範囲またはその均等の範囲において種々の変更、置き換え、付加、省略などを行うことができる。
【符号の説明】
【００７９】
１  噴霧部
２  人
３  人体情報
４  人体検知センサ
５  属性判断部
６  属性情報
７  噴霧制御部
８  制御内容
９  制御内容記憶部
１０  評価情報
１１  評価情報入力部
１２  制御内容変更部
１３  属性情報出力部
１４  制御内容取得部
１５  評価情報出力部
１６  評価情報取得部
１１１、１１２、１２１、１２２  ミスト制御装置
２１１、２１２、２２１、２２２  ミスト制御システム
３０１、３０２  サーバ
【図１】
2018004132.tif 000003
【図２】
2018004132.tif 000004
【図３】
2018004132.tif 000005
【図４】
2018004132.tif 000006
【図５】
2018004132.tif 000007
【図６】
2018004132.tif 000008
【図７】
2018004132.tif 000009
【図８】
2018004132.tif 000010
【図９】
2018004132.tif 000011
【図１０】
2018004132.tif 000012
【図１１】
2018004132.tif 000013
【図１２】
2018004132.tif 000014